【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
コンテンツと、前記コンテンツに関連するサブコンテンツをネットワーク上の所定場所から受信可能なアプリケーションと、前記所定場所を示す場所情報を含む前記コンテンツのメタデータとが記録された可搬性の記録媒体を挿入可能な挿入部と、
前記挿入部に挿入された前記記録媒体から前記メタデータを読み取る読み取り手段と、
前記挿入部に前記記録媒体が挿入されていない場合に、前記読み取られたメタデータ中の前記場所情報を基に、前記アプリケーションによらずに前記場所情報を基に前記所定場所から前記サブコンテンツを受信する受信手段と、
前記アプリケーションにより受信された前記サブコンテンツ及び前記アプリケーションによらずに受信された前記サブコンテンツを再生する再生手段と
を具備する電子機器。
【請求項２】
請求項１に記載の電子機器であって、
前記メタデータには、前記記録媒体を識別する記録媒体識別情報が含まれており、
当該電子機器は、
前記記録媒体識別情報を基に、前記コンテンツを前記記録媒体毎に示すコンテンツリストを生成する生成手段と、
前記アプリケーションによらずに再生可能な前記サブコンテンツの存在を示すサブコンテンツ識別情報を、前記生成されたコンテンツリスト上に前記記録媒体毎に表示するよう制御する表示制御手段と、
前記サブコンテンツ識別情報に対応する前記サブコンテンツを再生させるためのユーザの操作を、前記コンテンツリストを介して入力する入力手段と
を更に具備する電子機器。
【請求項３】
請求項２に記載の電子機器であって、
前記アプリケーションにより受信された前記サブコンテンツ及び前記アプリケーションによらずに受信された前記サブコンテンツを、前記記録媒体識別情報と対応付けて記憶する記憶手段を更に具備し、
前記再生手段は、前記コンテンツリスト上で前記操作が入力された場合に、前記記録媒体識別情報を基に、前記サブコンテンツ識別情報に対応する前記記憶されたサブコンテンツを前記記憶手段から読み込んで再生する
電子機器。
【請求項４】
請求項３に記載の電子機器であって、
前記表示制御手段は、前記記録媒体が挿入されている場合に、前記サブコンテンツを前記アプリケーションにより受信して再生させるためのユーザの操作を入力するためのサブコンテンツ再生画面を表示させるよう制御し、
前記再生手段は、前記サブコンテンツ再生画面において前記操作が入力された場合に、前記アプリケーションにより前記サブコンテンツを受信することなく、前記記憶手段により記憶された前記サブコンテンツを再生する
電子機器。
【請求項５】
請求項４に記載の電子機器であって、
前記サブコンテンツは暗号化されており、
前記受信手段は、前記サブコンテンツ再生画面において前記操作が入力された場合に、前記暗号化されたサブコンテンツを復号するための復号鍵情報を前記所定場所から受信し、
前記再生手段は、前記記憶手段により記憶されたサブコンテンツを、前記受信された復号鍵情報により復号して再生する
電子機器。
【請求項６】
請求項４に記載の電子機器であって、
前記記憶手段は、前記記憶されたサブコンテンツが再生される毎に、当該サブコンテンツの再生履歴情報を前記記録媒体毎に記憶し、
前記表示制御手段は、前記再生履歴情報を基に、前記記憶されたサブコンテンツのうち再生されていないサブコンテンツの存在を示す前記サブコンテンツ識別情報を表示するよう制御する
電子機器。
【請求項７】
請求項４に記載の電子機器であって、
前記記憶手段は、
前記記憶されたサブコンテンツを消去する手段と、
前記消去されたサブコンテンツの消去履歴情報を記憶する手段と
を有し、
前記受信手段は、前記消去履歴情報を基に、前記記憶されていないサブコンテンツのうち、前記消去されたサブコンテンツを除いたサブコンテンツを受信する
電子機器。
【請求項８】
請求項６に記載の電子機器であって、
前記記憶手段は、複数の前記記録媒体毎に異なる第１のサブコンテンツを記憶する第１のディレクトリと、前記各記録媒体に共通する第２のサブコンテンツを記憶する第２のディレクトリとを有し、前記再生履歴情報として、前記第１のサブコンテンツの第１の再生履歴情報と、前記第２のコンテンツの第２の再生履歴情報とを記憶する
電子機器。
【請求項９】
コンテンツと、前記コンテンツに関連するサブコンテンツをネットワーク上の所定場所から受信可能なアプリケーションと、前記所定場所を示す場所情報を含む前記コンテンツのメタデータとが記録された可搬性の記録媒体が挿入部に挿入されている場合に、当該記録媒体から前記メタデータを読み取り、
前記挿入部に前記記録媒体が挿入されていない場合に、前記読み取られたメタデータ中の前記場所情報を基に、前記アプリケーションによらずに前記場所情報を基に前記所定場所から前記サブコンテンツを受信し、
前記アプリケーションにより受信された前記サブコンテンツ及び前記アプリケーションによらずに受信された前記サブコンテンツを再生する
再生方法。
【請求項１０】
電子機器に、
コンテンツと、前記コンテンツに関連するサブコンテンツをネットワーク上の所定場所から受信可能なアプリケーションと、前記所定場所を示す場所情報を含む前記コンテンツのメタデータとが記録された可搬性の記録媒体が挿入部に挿入されている場合に、当該記録媒体から前記メタデータを読み取るステップと、
前記挿入部に前記記録媒体が挿入されていない場合に、前記読み取られたメタデータ中の前記場所情報を基に、前記アプリケーションによらずに前記場所情報を基に前記所定場所から前記サブコンテンツを受信するステップと、
前記アプリケーションにより受信された前記サブコンテンツ及び前記アプリケーションによらずに受信された前記サブコンテンツを再生するステップと
を実行させるためのプログラム。
【手続補正２】
【補正対象書類名】明細書
【補正対象項目名】００４８
【補正方法】変更
【補正の内容】
【００４８】
一方、レジデントアプリは、ＢＤ−ＲＯＭが挿入された際に、ＢＤ−ＲＯＭからメタデータを読み出し、それをディスク毎にディスクライブラリデータベース３４（以下、ディスクライブラリＤＢ３４と称する）としてデータベース化して例えばＨＤＤ８上に記憶する。ＢＤ−ＲＯＭ規格においては、ビデオやオーディオのオリジナルコンテンツと共に、各オリジナルコンテンツの提供者を識別するオーガニゼーションＩＤ、各ＢＤ−ＲＯＭを識別するディスクＩＤ、オリジナルコンテンツのタイトル名、ディスクジャケット画像等の一般的な情報がメタデータ規格として定められている。しかし、ＢＤ−ＲＯＭ規格では、ディスク作成者が独自にメタデータを定義できる拡張領域も存在する。そこで、本実施形態においては、ＢＤ−ＲＯＭ内の上記メタデータ格調領域に、新たなメタデータとして、上記サブコンテンツをコンテンツサーバ２２からダウンロードするためのＵＲＬを記録しておく。したがって、レジデントアプリは、上記規格内のメタデータに加えて、上記ＵＲＬもディスクライブラリＤＢ３４に記憶する。
【手続補正３】
【補正対象書類名】明細書
【補正対象項目名】００８８
【補正方法】変更
【補正の内容】
【００８８】
続いて、レジデントアプリは、例えばユーザのリモコン操作等により当該Ｎｅｗアイコン３３を選択する操作が入力されると（ステップ１０５）、当該選択されたＮｅｗアイコン３３に対応する新着トレイラーに関する情報を例えばリストボックスとして表示する（ステップ１０６）。